【事件の表示】
　平成１１年特許願第１２８１７２号「食器洗浄機」拒絶査定不服審判事件〔平成１２年１１月２１日出願公開、特開２０００−３１６７８３〕について、次のとおり審決する。
【結　論】
　本件審判の請求は、成り立たない。
【理　由】
１．手続の経緯・本願発明
　本件に係る出願（以下、「本願」という。）は、平成１１年５月１０日の特許出願であって、その請求項１に係る発明（以下、「本願発明」という。）は、平成１９年１０月３１日付け手続補正書により補正された明細書及び図面の記載からみて、同手続補正書の特許請求の範囲の請求項１に記載された次のとおりのものである。
　なお、平成１７年５月２０日付け手続補正書による補正については、当審において、平成１９年９月５日付けで補正の却下の決定をした。
　　
「食器などの被洗浄物を入れる食器かごと、前記食器かごを収容する洗浄槽と、前記洗浄槽内の洗浄水を加圧する洗浄ポンプと、前記洗浄ポンプによって加圧された洗浄水を前記被洗浄物に噴射する洗浄ノズルと、前記洗浄槽へ洗浄水を供給する給水手段と、前記洗浄槽内の洗浄水を機外へ排出する排水手段と、前記給水手段によって供給された洗浄槽内の水量を検知する水量検知手段と、前記水量検知手段の出力に基いて前記給水手段を制御する制御手段とを備え、前記制御手段は、前記給水手段により通常の食器洗浄時に前記洗浄槽内に規定の水位まで給水するとともに、給水および排水動作と洗浄動作を行う洗い工程と、給水および排水動作と少なくとも２回のすすぎ洗浄動作を行うすすぎ工程を実行して前記洗浄槽を洗浄するクリーニングコースを有し、前記クリーニングコースの選択時は、前記給水手段により通常の食器洗浄時に給水する水位より高い位置まで給水し、食器洗浄時の給水水位より上の前記洗浄槽の内壁に堆積した汚れが浸かるようにするとともに、クリーニングコース運転時の洗い工程時に、前記洗浄ポンプを一時停止して洗浄水の水位を給水位まで上昇させるようにした食器洗浄機。」　
　
　　
２．刊行物
　当審から通知した拒絶の理由に示された、本願の出願前に頒布された刊行物である特開平５−１４６３９０号公報（以下、「公知刊行物」という。）には、図面と共に以下の事項が記載されている。
　　
ア．「【産業上の利用分野】本発明は、洗浄槽内に収納された食器に対して、洗浄、すすぎ、温水すすぎ、乾燥などを順番におこなって食器を洗浄乾燥する食器洗浄モードを備えた食器洗浄器に関し、詳しくは洗浄槽内を洗浄するセルフクリーニングを容易にかつ効率的におこなおうとする技術に係るものである。」（段落【０００１】）　　
　　　
イ．「【課題を解決するための手段】本発明は、洗浄槽１内に収納された食器に対して、洗浄、すすぎ、温水すすぎ、乾燥などを順番におこなって食器を自動的に洗浄乾燥する食器洗浄モードを備えた食器洗浄器であって、食器洗浄モードとは別に洗浄槽１に対して、洗浄、すすぎをおこなって洗浄槽１内を自動的に洗浄するセルフクリーニングモードを備え、食器洗浄モードの操作部Ｗａ及びセルフクリーニングモードの操作部Ｃａが操作パネル２に設けられて成ることを特徴とするものである。」（段落【０００５】）　　
　　　　　　　　　
ウ．「以下本発明の実施例を図面に基づいて詳述する。食器洗浄器Ａは洗浄槽１に対して開閉扉（図示せず）が設けられ、洗浄槽１内には上段及び下段にバスケット３が設けられ、洗浄槽１の下部には貯水部４が設けられ、この貯水部４には給水電磁弁Ｖの開放にて水道水を給水管５を介して給水することができるようにしてある。貯水部４にはヒータＨ及びサーミスタＴＨが配設され、貯水部４内の温水温度を所定温度に加温することができるようにしてある。貯水部４には上中下段において配設されるノズル６・・が連通されている。そして洗浄ポンプ７を作動させて貯水部４内の冷水もしくは温水をノズル６から噴射して、バスケット３内の食器を水で洗浄したり、温水ですすいだりすることができるようにしてある。このような水及び温水は貯水部４に返流され、循環使用されるものである。このような食器の洗浄時には洗剤投入器（図示せず）から１回分の洗剤が投入されるようにしてある。また、後述するすすぎモードにおいては、すすぎ剤が投入される。洗剤は洗浄前に毎回洗剤投入器に手動で投入され、すすぎ洗剤は一度に数１０回分まとめて溜めておき、その１回分がその都度自動的に投入されるものである。そして、返流部にはフィルター８が付設され、洗浄にて洗い出された残滓を捕捉することができるようにしてある。また、貯水部４の下端部には排水ポンプ９が設けられ、この排水ポンプ９を作動させることで、洗浄後の水又は温水を下水に排水することができるようにしてある。このような洗浄後にはヒータＨに通電されて、食器を乾燥させるようにしてある。乾燥はファンを設けて温風乾燥をおこなうようにしてもよい。」（段落【０００７】）
　　　　
エ．「図３は食器洗浄モードを示していて、「予備洗浄」「本洗浄」「すすぎ１」「すすぎ２」「すすぎ３」「温水すすぎ」「乾燥」の諸モードをこの順番におこなうものである。」（段落【０００９】）　　
　　　　　　　　　　　　　　
オ．「セルフクリーニングモードは、図４に示すように、「標準」「強力」のモードがあり、その表示は例えば後述の表示部１１にておこなうようにするとよい。「標準」「強力」の各々のモードは給水式と給湯式がある。「標準」のモードの給水式は「予備洗浄」「本洗浄」「すすぎ１」「すすぎ２」「すすぎ３」の諸モードをこの順番におこなうものである。そして、「標準」のモードで給水式においてその「予備洗浄」は排水を３０秒、給水を１分、洗浄を１分、排水を２８秒、停止を２秒をこの順番におこなうものである。また、「標準」のモードで給水式においてその「本洗浄」は排水を３０秒、給水を１分、ヒータ洗浄を３０分、排水を２８秒、停止を２秒をこの順番におこなうものである。また、「標準」のモードで給水式においてその「すすぎ１」は排水を３０秒、給水を１分、すすぎを１分、排水を２８秒、停止を２秒をこの順番におこなうものである。また、「標準」のモードで給水式においてその「すすぎ２」は排水を３０秒、給水を１分、すすぎを１分、排水を２８秒、停止を２秒をこの順番におこなうものである。また、「標準」のモードで給水式においてその「すすぎ３」は排水を３０秒、給水を１分、すすぎを１分、排水を２８秒、停止を２秒をこの順番におこなうものである。次に、セルフクリーニングモードの「標準」のモードで給湯式においては、上記の「標準」のモードの給水式における「本洗浄」のヒータ洗浄を２０分に変更したものである。次に、「強力」のモードで給水式においては、上記の「標準」のモードの給水式における「本洗浄」のヒータ洗浄を４５分に変更したものである。次に、「強力」のモードで給湯式においては、上記の「標準」のモードの給水式における「本洗浄」のヒータ洗浄を３５分に変更したものである。」（段落【００１１】）　　　
　　　
カ．「【発明の効果】
　本発明は上述のように、食器洗浄モードとは別に洗浄槽に対して、洗浄、すすぎをおこなって洗浄槽内を自動的に洗浄するセルフクリーニングモードを備え、食器洗浄モードの操作部及びセルフクリーニングモードの操作部が操作パネルに設けられているから、洗浄槽を洗浄するのに、セルフクリーニングモード用の操作部を操作させることで、洗浄槽の洗浄に最適なモードで洗浄槽の洗浄をおこなうことができ、洗浄槽の洗浄において食器洗浄モードを使う場合のように時間をかけて無駄な乾燥をおこなうことを回避でき、電力の浪費を回避でき、誰でもが容易にかつ効果的に洗浄槽の洗浄をおこなうことができ、そして食器洗浄器の商品価値を高めることができるという利点がある。」（段落【００１４】）　　
　
　また、食器洗浄器が、給水電磁弁を制御する制御手段を備えることは、当業者にとって自明である。
　　
　これらの事項及び図面の記載内容をふまえ、公知刊行物には、次の発明（以下、「公知刊行物記載の発明」という。）が記載されているものと認める。　　
　　　
「食器を入れるバスケットと、前記バスケットを収容する洗浄槽と、前記洗浄槽内の洗浄水を加圧する洗浄ポンプと、前記洗浄ポンプによって加圧された洗浄水を前記食器に噴射するノズルと、前記洗浄槽へ洗浄水を供給する給水電磁弁と、前記洗浄槽内の洗浄水を機外へ排出する排水ポンプと、前記給水電磁弁を制御する制御手段とを備え、前記制御手段は、前記給水電磁弁により通常の食器洗浄時に前記洗浄槽内に規定の水位まで給水するとともに、給水および排水動作と洗浄動作を行う洗い工程と、給水および排水動作と少なくとも２回のすすぎ洗浄動作を行うすすぎ工程を実行して前記洗浄槽を洗浄するセルフクリーニングモードを有する食器洗浄器。」
　　
　　
３．対比
　本願発明と公知刊行物記載の発明を対比する。
　公知刊行物記載の発明における「食器」は、本願発明における「食器などの被洗浄物」に相当する。以下、同様に、「バスケット」は「食器かご」に、「ノズル」は「洗浄ノズル」に、「給水電磁弁」は「給水手段」に、「排水ポンプ」は「排水手段」に、「セルフクリーニングモード」は「クリーニングコース」に、「食器洗浄器」は「食器洗浄機」に、それぞれ相当する。
　そうしてみると、本願発明と公知刊行物記載の発明の一致点及び相違点は、次のとおりである。　
　　
［一致点］
　「食器などの被洗浄物を入れる食器かごと、前記食器かごを収容する洗浄槽と、前記洗浄槽内の洗浄水を加圧する洗浄ポンプと、前記洗浄ポンプによって加圧された洗浄水を前記被洗浄物に噴射する洗浄ノズルと、前記洗浄槽へ洗浄水を供給する給水手段と、前記洗浄槽内の洗浄水を機外へ排出する排水手段と、前記給水手段を制御する制御手段とを備え、前記制御手段は、前記給水手段により通常の食器洗浄時に前記洗浄槽内に規定の水位まで給水するとともに、給水および排水動作と洗浄動作を行う洗い工程と、給水および排水動作と少なくとも２回のすすぎ洗浄動作を行うすすぎ工程を実行して前記洗浄槽を洗浄するクリーニングコースを有する食器洗浄機。」
　　
［相違点］
　本願発明は、給水手段によって供給された洗浄槽内の水量を検知する水量検知手段を備え、制御手段が前記水量検知手段の出力に基いて給水手段を制御するものであって、クリーニングコースの選択時は、給水手段により通常の食器洗浄時に給水する水位より高い位置まで給水し、食器洗浄時の給水水位より上の洗浄槽の内壁に堆積した汚れが浸かるようにするとともに、クリーニングコース運転時の洗い工程時に、洗浄ポンプを一時停止して洗浄水の水位を給水位まで上昇させるものであるのに対して、公知刊行物記載の発明では、そのような特定がない点。
　　　
　　　
４．当審の判断
　相違点について検討する。
　食器洗浄機において、洗浄槽内の水量を検知する水量検知手段を備えさせて、この水量検知手段の出力に基いて給水手段を制御することは、例示するまでもなく当業者にとって周知の技術的事項であって、公知刊行物記載の発明においてかかる周知の技術的事項を適用すること自体に格別の創意工夫は見いだせない。
　　
　ところで、洗浄のために用いられる機器において、洗浄時の水位付近に汚れが付着しやすいことは、当業者にとって自明の事項であって、また、少なくとも洗濯機の分野において、洗浄水位よりも高い位置まで水を入れて槽自体の洗浄を実施することは、当業者にとって周知の技術的事項である（そのような例として、特開平４−１０８４９４号公報、特開平２−１０４３９７号公報、特開平１０−９９５８６号公報を挙げることができる。）。
　食器洗浄機の分野においても、通常の給水水位付近に汚れが付着しやすいことは、自明というべきであり、さらに、上記周知の技術的事項もふまえると、公知刊行物記載の発明におけるクリーニングコースの選択時に、通常の食器洗浄時の給水水位よりも高い水位とする程度のことは、当業者が格別の創作能力を要さずに採用し得た事項というべきである。　
　　　
　食器洗浄機の給水および排水動作と洗浄動作を行う洗い工程時に、洗浄ポンプを一時停止させること自体は、例示するまでもなく周知の技術的事項であり、そうした場合に洗浄水の水位が上昇することも自明の技術的事項である。
　また、本願発明においてクリーニングコース運転時の洗い工程時に、洗浄ポンプを一時停止して洗浄水の水位を給水位まで上昇させたことに格別な技術的意義を見いだすこともできない。
　そうしてみると、公知刊行物記載の発明において、クリーニングコース運転時の洗い工程時に洗浄ポンプを一時停止して洗浄水の水位を給水位まで上昇させる程度のことは、当業者が通常の創作能力を発揮して採用し得たことにすぎない。
　
　以上から、相違点に係る本願発明の発明特定事項は、公知刊行物記載の発明において、当業者が容易に想到し得たものである。　　
　しかも、本願発明の発明特定事項によって、公知刊行物記載の発明及び周知の技術的事項からみて格別顕著な効果が奏されるということもできない。
　　
　よって、本願発明は、公知刊行物記載の発明及び周知の技術的事項に基づいて、当業者が容易に発明をすることができたものである。
　 　
　　　
５．むすび 　
 　以上のとおり、本願発明は、公知刊行物記載の発明及び周知の技術的事項に基づいて当業者が容易に発明をすることができたものであるから、特許法第２９条第２項の規定により特許を受けることができない。 
　したがって、他の請求項に係る発明について検討するまでもなく、本願は、拒絶すべきものである。
　　
　よって、 結論のとおり審決する。